(57)【特許請求の範囲】
【請求項１】
シャドーマスクに接触して、前記シャドーマスクに生じた振動を消散させる複数の接触部材及び隣接した接触部材を連結する連結部材を有する減衰手段と、
減衰手段の両端を各々固定する固定部と、固定部から延長して、シャドーマスクに結合される結合部とからなるように構成され、固定部の弾性力を用いて接触部材をシャドーマスクに接触させる固定手段と
を備え、
シャドーマスクに生じた振動によって接触部材がシャドーマスクと衝突し、摩擦することによってシャドーマスクの振動を消散させることを特徴とする陰極線管用ハウリング減衰装置。
【請求項２】
接触部材は、連結部材の端部が各々貫通する貫通孔を有し、球状であることを特徴とする請求項１記載の陰極線管用ハウリング減衰装置。
【請求項３】
接触部材は、連結部材の端部が各々貫通する貫通孔を有し、筒状であることを特徴とする請求項１記載の陰極線管用ハウリング減衰装置。
【請求項４】
それぞれがシャドーマスクに接触して、前記シャドーマスクに生じた振動を消散させる複数の接触部材からなる減衰手段と、
減衰手段の接触部材をシャドーマスクに実質的に接触させる固定手段と
を備え、
前記接触部材は、隣接した一方の接触部材の貫通孔に取り付けられる連結部材と、隣接した他方の接触部材の連結部材を取り付けるための貫通孔とを備え、
シャドーマスクに生じた振動によって接触部材がシャドーマスクと衝突し、摩擦することによってシャドーマスクの振動を消散させることを特徴とする陰極線管用ハウリング減衰装置。
【請求項５】
接触部材は環状であることを特徴とする請求項１記載の陰極線管用ハウリング減衰装置。
【請求項６】
連結部材は環状であることを特徴とする請求項５記載の陰極線管用ハウリング減衰装置。
【請求項７】
減衰手段はシャドーマスクの非有効面に備えられることを特徴とする請求項１又は４記載の陰極線管用ハウリング減衰装置。
【請求項８】
固定手段は減衰手段の両端の連結部材に各々備えられることを特徴とする請求項１記載の陰極線管用ハウリング減衰装置。
【請求項９】
固定手段はシャドーマスクの非有効面上に結合されることを特徴とする請求項１又は４記載の陰極線管用ハウリング減衰装置。
【請求項１０】
固定手段はマスク支持フレームに結合されることを特徴とする請求項１又は４記載の陰極線管用ハウリング減衰装置。
【請求項１１】
固定部の間の長さは、減衰手段の全体長から、この減衰手段の両端にそれぞれ設けられた第１及び第２の接触部材の長さを差し引いた有効長より短く形成され、減衰手段が固定部に備えられるとき、固定部は第１及び第２の接触部材に引張力を加えることを特徴とする請求項１記載の陰極線管用ハウリング減衰装置。
【請求項１２】
固定部には、減衰手段の接触部材の側面と対応する形状の湾曲部が形成されることを特徴とする請求項１記載の陰極線管用ハウリング減衰装置。
【請求項１３】
結合部に減衰手段の接触部材の下部に対応する形状の接触孔が形成され、接触部材がその接触孔を介してシャドーマスクに接触することを特徴とする請求項１記載の陰極線管用ハウリング減衰装置。
【請求項１４】
結合部のシャドーマスクに接する面の一部は、シャドーマスク側に突き出るように形成されることを特徴とする請求項１記載の陰極線管用ハウリング減衰装置。
【請求項１５】
固定手段は固定部の間を連結する連結部を更に含んでいることを特徴とする請求項１記載の陰極線管用ハウリング減衰装置。
【請求項１６】
連結部の長さは減衰手段の全体長から、この減衰手段の両端にそれぞれ設けられた第１及び第２の接触部材の長さを差し引いた有効長より短く形成され、減衰手段が固定部に取り付けられると、固定部は第１及び第２の接触部材に引張力を加えることを特徴とする請求項１５記載の陰極線管用ハウリング減衰装置。
【請求項１７】
連結部に、減衰手段の接触部材を通すことができる大きさの取付孔、及び減衰手段の連結部材のみを通すことができる大きさで取付孔と連結されるスロットが形成され、固定部に、連結部のスロットと連結されるスロットが形成されることを特徴とする請求項１６記載の陰極線管用ハウリング減衰装置。
【請求項１８】
連結部の縁の中央には溝が形成されることを特徴とする請求項１６記載の陰極線管用ハウリング減衰装置。
【請求項１９】
シャドーマスクに接触して、前記シャドーマスクに生じた振動を消散させる複数の接触部材及び隣接した接触部材を連結する連結部材を有する減衰手段と、
減衰手段の接触部材をシャドーマスクに接触させる案内部と、減衰手段の連結部材を支持する支持部と、案内部と支持部の一方の側とが連結され、シャドーマスクに結合する結合部とを含んで構成される固定手段と備え、
シャドーマスクに生じた振動によって接触部材がシャドーマスクと衝突し、摩擦することによってシャドーマスクの振動を消散させることを特徴とする陰極線管用ハウリング減衰装置。
【請求項２０】
結合部はマスク支持フレームに固定されることを特徴とする請求項１９記載の陰極線管用ハウリング減衰装置。
【請求項２１】
結合部はシャドーマスクの非有効面に固定されることを特徴とする請求項１９記載の陰極線管用ハウリング減衰装置。
【請求項２２】
前記支持部には前記減衰手段の連結部が安着させられる安着部が形成されることを特徴とする請求項１９記載の陰極線管用ハウリング減衰装置。
【発明の詳細な説明】
【０００１】
【発明の属する技術分野】
本発明はハウリング減衰効果が優れ、且つ製造作業工程が簡単である陰極線管用ハウリング減衰装置に関する。
【０００２】
【従来の技術】
陰極線管は内面に蛍光膜が塗布されたパネルと、内面に伝導性を有する黒鉛が塗布されたファンネルとを備えている。ファンネルの先端には電子ビームを発生させる電子銃が装着され、ファンネルのネック部には電子ビームを偏向させる偏向ヨークが装着される。そして、ファンネルの内面には蛍光膜を発光させるように色を選別する役割を果たすシャドーマスクが結合される。
従って、電子銃から発射した電子ビームが偏向ヨークによって所定の位置に偏向させられ、その偏向した電子ビームがシャドーマスクを通過して蛍光膜を刺激することにより、スクリーンに画像が生成される。
【０００３】
一方、シャドーマスクの厚さは非常に薄く、外部から陰極線管に荷重を加えるとハウリング現象が発生する。従って、シャドーマスクに伝達された振動を減衰する装置、即ち、ハウリング減衰装置が必要である。
【０００４】
図１は従来の陰極線管用ハウリング減衰装置が設けられた状態を概略的に示す斜視図であり、これを参照して従来のハウリング減衰装置を以下に説明する。
【０００５】
上述したように、パネル１の内側にはシャドーマスク５が結合されている。
シャドーマスク５は、電子銃から発射した電子ビームが通過するスロット１１が形成され、色選別電極の役割をする有効面５ａと、シャドーマスク５がパネル１に結合する部分であり、前記シャドーマスクの周辺部を構成する非有効面５ｂとからなる。
【０００６】
一方、シャドーマスク５にはハウリング減衰装置、即ち、約６０〜８０μｍの減衰用ワイヤ７が設けられる。ワイヤ７をシャドーマスク５に取り付ける工程を以下に説明する。まず、ワイヤ７の両端にワイヤ固定部材、即ち、ブラケット９が結合される。このワイヤに取り付けられたブラケット９を各々マスク支持フレーム３に固定することで取付が完了する。このとき、ワイヤ７はシャドーマスク５の長手方向の略中央で垂直方向（即ち、１２時−６時方向）に設置されるが、このとき、ワイヤ７はシャドーマスク５に形成されたスロット１１を横切ることがないように配置しなければならない。シャドーマスクのスロットはきわめて幅が狭く、隣接間隔も狭いため、ワイヤ７も上記のように非常に細いものでなければならないため、通常、電子顕微鏡を用いて組立作業が行われている。
【０００７】
以下、従来の陰極線管用ハウリング減衰装置の作動原理を説明する。
【０００８】
外部の荷重によってシャドーマスク５で振動が発生するとその振動がワイヤ７へ伝達される。伝達された振動はワイヤ７とシャドーマスク５との間で発生する衝突や摩擦力により減衰する。このとき、ワイヤ７に引張力を与えてワイヤ７の固有振動数をシャドーマスク５の固有振動数より小さくすることが望ましい。また、ワイヤの太さ、加えられる引張力、ワイヤの設置位置、材質、作業条件などによってハウリングの減衰特性が変われる。
【０００９】
しかし、上述した従来の陰極線管用ハウリング減衰装置は次のような問題点があった。
【００１０】
第一に、従来の陰極線管用ハウリング減衰装置は、振動発生から振動減衰までの所要時間、即ち、制振時間が約１５−６０秒位で、振動減衰の効果が優れているとはいえない。また、同一の外部荷重に対する制振時間も製品によって差が大きくて、製品の信頼性が落ちる。
【００１１】
第二に、ワイヤをシャドーマスクに取り付ける工程が細かく、複雑であって、製品不良の発生及び製品単価の上昇の原因となる。上述のように、ワイヤの取付工程はワイヤの準備、ワイヤとブラケットとの結合、ワイヤをシャドーマスクの所定の位置への配置、さらに、ブラケットのマスク支持フレームへの溶接が必要となる。
ところが、ワイヤは非常に薄く精密工程が要求され、上記工程中にワイヤが切れる現象や溶接不良などが発生しやすい。従って、工程作業時間が長くなる。また、自動化が困難であって常に受動的に作業しなければならず、生産原価の上昇の原因となっていた。
【００１２】
第三に、取付の終了後も、陰極線管が熱を受けるとワイヤ又はシャドーマスクが変形してワイヤの固定が外れるということがある。そのため、所定の機能を発揮できなくなったり、スクリーンでそれが見えるといった現象が発生するという欠点がある。
【００１３】
【発明が解決しようとする課題】
本発明は上記問題点を解決するためになされたものである。
すなわち、本発明の目的は振動減衰の効果を向上させることができる陰極線管用ハウリング減衰装置を提供することである。
本発明の他の目的は、組立・取付工程を単純化して生産原価を低下させることができる陰極線管用ハウリング減衰装置を提供することである。
【００１４】
【課題を解決するための手段】
上記目的を達成するために、本発明による陰極線管用ハウリング減衰装置は、シャドーマスクに接触して、振動を伝達され消散させる接触部材と、隣接した前記接触部材を連結する連結部材とを有する減衰手段と、前記減衰手段の接触部材を前記シャドーマスクに実質的に接触させる固定手段とを含んで構成され、前記シャドーマスクの振動を前記接触部材が伝達され、前記接触部材が前記シャドーマスクとの衝突、摩擦によって振動を消散させることを特徴とする。
【００１５】
前記接触部材は、前記連結部材の端部が各々貫通する貫通孔を有し、球状又は筒状からなることを特徴とする。
【００１６】
前記接触部材は、一側には貫通孔を有する接触部と、その接触部と一体に形成される連結部とを含んで構成され、前記連結部材は前記接触部材と実質的に同形状であることを特徴とする。
【００１７】
前記接触部材は環状であり、前記連結部材も環状から構成されることを特徴とする。
【００１８】
前記減衰手段は前記シャドーマスクの非有効面に設けられることが好ましい。
【００１９】
前記固定手段は前記連結部材の両端に各々設けられ、前記固定手段は前記シャドーマスクの非有効面上、又はマスク支持フレームに結合されることが好ましい。
【００２０】
本発明の他の実施態様によれば、前記固定手段は、前記減衰手段の両端を各々固定する固定部と、前記固定部から延長して、前記シャドーマスクに結合される結合部とを含んで構成され、前記固定部の弾性張力を用いて前記接触部材が前記シャドーマスクに接触するようにすることを特徴とする。
【００２１】
前記固定部の間の長さは、前記減衰手段の有効長より小さく形成され、前記減衰手段が前記固定部に設けられたとき、前記減衰手段は引張力を受けることが好ましい。
【００２２】
前記固定部には、前記減衰手段の接触部材の側面と対応する形状の凹部が形成されることが好ましい。
【００２３】
前記結合部には、前記減衰手段の接触部材の下部に対応する形状の接触孔が形成され、前記接触部材は前記接触孔を介して前記シャドーマスクに接触することが好ましい。
【００２４】
前記支持部には前記減衰手段の連結部が安着させられる安着部が形成されることが好ましい。
【００２５】
前記固定手段は前記固定部の間を連結する連結部を更に含んで構成されることが好ましい。そして、前記連結部の長さは前記減衰手段の有効長より小さく形成され、前記減衰手段が前記固定部に設けられたとき、前記減衰手段は引張力を受けることが更に好ましい。
【００２６】
前記連結部には、前記減衰手段の接触部材とほぼ同じ大きさの取付孔、及び前記減衰手段の連結部材の直径とほぼ同じ大きさであり且つ前記取付孔と連結されるスロットが形成され、前記固定部には、前記連結部のスロットと連結されるスロットが形成されることが好ましい。
【００２７】
前記連結部の先端の略中央には溝が形成されることが好ましい。
【００２８】
本発明のまた他の実施態様によれば、前記固定手段は前記減衰手段の接触部材を前記シャドーマスクに接触させる案内部と、前記減衰手段の連結部材を支持する支持部と、前記案内部と前記支持部の一側とが連結され、前記シャドーマスクに結合する結合部とを含んで構成されることを特徴とする。
【００２９】
前記結合部はマスク支持フレーム又はシャドーマスクの非有効面に固定されることが好ましい。
【００３０】
前記結合部には前記シャドーマスク方向に突出した凹部が形成されることが更に好ましい。
【００３１】
従って、本発明によれば、振動を効率よく減衰させることができ、組立工程が簡単となることから生産原価を節減できる。
【００３２】
【発明の実施の形態】
以下、添付の図面を参照して、本発明による陰極線管用ハウリング減衰装置の好適な実施形態を説明する。
【００３３】
図２は本発明実施形態による陰極線管用ハウリング減衰装置２０が取り付けられたシャドーマスク５を備えたパネル１の斜視図である。まず、これに基づき本発明実施形態による陰極線管用ハウリング減衰装置の全体的な構成を説明する。
【００３４】
本発明によるハウリング減衰装置２０はシャドーマスク５に接触して伝達される振動を減衰させる減衰手段３０と、その減衰手段３０をシャドーマスク５に接触させて固定する固定手段１００とからなっている。
【００３５】
従来のハウリング減衰装置のワイヤは、その構造上、シャドーマスク５の有効面５ａを通過するように取り付けなければならなかったが、本発明によるハウリング減衰装置は、シャドーマスクの所定の位置、即ち、有効面５ａ又は非有効面５ｂに設けることができる。いずれに取り付けてもよいが、設置時の便宜性且つ設置後にスクリーンでハウリング減衰装置が見える現象を防止できるので、非有効面５ｂに取り付けることが好ましい。
【００３６】
以下、図３Ａ〜図３Ｃに基づき、本発明ハウリング減衰装置の具体的な減衰手段について説明する。
【００３７】
本発明実施形態の減衰手段３０はシャドーマスクに接触して振動を伝達され、その振動を消散させる接触部材３２と、隣接している接触部材３２を連結する連結部材３４と備えている。
【００３８】
接触部材３２はそのどこかがシャドーマスクに接触している。したがって、外部の荷重によってシャドーマスクで発生した振動が一次的に伝達され、シャドーマスクとの衝突及び摩擦によってこのような振動を減衰させる。そして、本実施形態では接触部材３２は複数のものが連結部材３４を間に挟んで連結される。これらは互いに直接連結されないようにすることが好ましい。
【００３９】
図３Ａを参照すると、接触部材３２は球形であり、直径方向に対向する両側に貫通孔３５ａが形成されている。連結部材３４は棒状であり、その両端は、それぞれの接触部材３２の貫通孔３５ａにそれぞれ挿入される。接触部材３２は中実でも中空でもよいが、中空型の場合にはその内部に補助接触部材３５を挿入してもよい。
【００４０】
上述のような構成によれば、外部の振動が伝達されると、接触部材３２は上下方向に運動Ｖを行ってシャドーマスクと衝突し、また、左右方向にも運動Ｈを行ってシャドーマスクとの間に摩擦が発生し、その衝突と摩擦とによって振動を効率よく減衰することができる。また、球形の接触部材３２はその自体が回転運動Ｒを行うことができるので、その回転によっても振動を減衰させる。従って、本実施形態は、振動を効果的に減衰させることができる。
上述のような球形の接触部材３２は、シャドーマスクと点接触するため、シャドーマスクの微細な振動時にもシャドーマスクとの接触を維持することができ、振動の後期に発生する微細な振動の減衰にも効果的である。
【００４１】
摩擦力及び衝撃力を向上させるために、接触部材３２及び連結部材３４を熱処理したり、その表面にエンボスなどの加工を行うことも可能である。
【００４２】
接触部材の形状は球形に限定されず、円筒や六面体などの筒状又は柱状のものとすることもできる。図３Ｂを参照して円筒状の接触部材を以下に説明する。
【００４３】
図３Ｂの減衰手段も同様に接触部材３２ａと連結部材３４とからなる。但し、この変形例では接触部材３２ａの形状が円筒形であるので、接触部材３２ａはシャドーマスクと線接触を行う。従って、シャドーマスクとの摩擦面積が点接触に比べて大きく、外部の荷重により発生する初期の過度的な振動の減衰に優れた特性を現す。
【００４４】
次に、図３Ｃを参照して細長い六面体形状の接触部材を説明する。この変形例では接触部材３２ｂの形状が六面体であるので、その接触部材３２ｂはシャドーマスクと面接触を行う。即ち、線接触の場合よりもシャドーマスクとの摩擦面積が更に大きい。従って、シャドーマスクと強い摩擦且つ衝突が行われるので、初期の過度的な振動の減衰に優れた特性を現す。特に、シャドーマスクは構造的に剛性と弾性係数が大きくて変形が少ないので局部的な変形が少ない。この場合、シャドーマスクの微細な振動よりは初期の過度的な振動を抑制することが最も重要な要因となり、本実施形態はこのような場合に好適なものである。
【００４５】
上記の実施形態においては同じ形状の接触部材を連結部材で連結していたが、図４に示すように、点接触、線接触及び面接触の形状を有するそれぞれ異なる接触部材３２，３２ａ，３２ｂを組み合わせて使用することも可能である。このように種類のことなるものを組み合わせた構造とすると、初期の過度的な振動を線接触又は面接触する接触部材３２ａ，３２ｂで効果的に減衰させ、後期の微細な振動を点接触する接触部材３２によって効率よく減衰させることができる。
【００４６】
以下、図５Ａ〜図５Ｃに基づき、本発明による陰極線管用ハウリング減衰装置の減衰手段の更に異なる変形例を説明する。
【００４７】
これらの変形例は上述の実施形態と全体的な構成は同様である。先の実施形態では接触部材と連結部材とを別々に形成したが、本実施形態では接触部材と連結部材とを一体に形成している。図５Ａに示す実施形態による接触部材４０はシャドーマスクと接触する接触部４２と、その接触部４２の一箇所に形成され、隣接する他の接触部材４０に連結される連結部４４とからなる。即ち、球形の接触部４２に連結部４４が一体に結合されており、その連結部４４が形成された箇所と直径方向で反対側には他の接触部材の接触部が連結される貫通孔４３が形成されている。従って、接触部材４０は自身の連結部４４を他の接触部材４０の貫通孔４３に取り付けることで先の実施形態と同様に多数のものを連結することができる。したがって、本実施形態の場合も、先の実施形態と同様にシャドーマスクとの衝突、摩擦運動、及びその自体の回転運動が可能である。
図５Ａでは球形の接触部材が示してあるが、これに限定されず、３Ｂの線接触を行う円筒形、或いは３Ｃの面接触を行う六面体などのように構成させることができるのは特に説明するまでもないであろう。
【００４８】
また、この実施形態は更に変形させて、図５Ｂに示すように、接触部４２と一体とされた連結部４４ａの長さを短くすることも可能である。
【００４９】
さらなる変形例としては、図５Ｃに示すように、接触部材４６を閉曲線状に構成して、これらを連結することも可能である。即ち、チェーン形状の構成とすることも可能である。
かかる場合は連結部４６ａもチェーン形状にすることが好ましい。
【００５０】
一方、上述のような減衰手段３０、特に、接触部材３２は、シャドーマスクの所定の位置にシャドーマスクと接触するように設けられるべきである。このために、減衰手段３０をシャドーマスクに接触されるように固定する固定手段１００が必要である。
図２では、接触部材３２を連結部材３４で連ねた減衰手段３０の両端の連結部材３４に結合すると共に、シャドーマスクに溶接などで固定する固定手段１００を示している。接触状態を良好にするために、減衰手段３０に引張力を加えた状態で固定手段１００に結合させることが好ましい。また、固定手段１００はマスク支持フレーム３、又はシャドーマスクの非有効面５ｂに設けられ得る。
【００５１】
固定手段は上記例に限定されず、減衰手段３０をシャドーマスクに接触させて所定の位置に取り付けることができるものであればどのような構造のものでもよい。実験によれば、減衰手段３０はシャドーマスクとの接触が優れていればいるほど優れた制振性能を示した。また、外部環境の変化にかかわらず、減衰手段はシャドーマスクに接触する構造を有することが好ましい。更に、減衰手段３０と固定手段１００は、単純で定型化した構造としてそれらの製造及び取付の自動化を図ることができるようにして生産性を向上させるべきである。
【００５２】
以下、図７〜図９に基づき、固定手段の他の実施形態を説明する。
【００５３】
上述したように、固定手段２００は減衰手段３０自体を支持すると共に、減衰手段３０をシャドーマスク５の所定の位置に固定する役割を果たす。
固定手段２００は、図８に拡大して示したように、１枚の板を打ち抜き加工するとともに、それを図示のように折り曲げることで得ることができる。すなわち、中央の連結部２１０の両端でほぼ直角に折り曲げて固定部２２０とし、その先端部で更に連結部２１０にほぼ並行になるように折り曲げた連結部２２０とで構成されている。固定部２２０は単に直角に折り曲げるのではなく互いに近づく方向に湾曲させて湾曲部２２６を形成させている。この湾曲部２２６は必ず必要なものではない。結合部２３０はシャドーマスクに本固定手段２００を取り付ける部分であり、固定部２２０は減衰手段３０の両端の接触部材３２ａ，３２ｂを固定する部分である。
【００５４】
なお、図示の例では両側の固定部２２０と結合部２３０が連結部２１０によって連結されているが、連結部２１０がなく、固定部２２０と連結部２３０だけのもの対にして使用するようにしてもよい。
このように構成すると、固定部２２０の弾性張力を用いて接触部材３２をシャドーマスクに接触させることができる。
【００５５】
上記した固定手段２００と減衰手段３０は容易に取付可能な構造とすべきである。従って、連結部２１０の両端部に取付孔２１２を形成させ、この取付孔２１２から固定部２２０へ連なるスロット２１４，２２４を形成することが好ましい。即ち、連結部２１０の端部付近に形成させた取付孔２１２の大きさを減衰手段３０の接触部材３２の直径と同じかそれよりわずかに大きい大きさとし、スロット２１４，２２４のスロット幅を連結部材３４の直径と同じかそれよりわずかに大きい大きさとする。なお、符号２１４は連結部のスロットであり、２２４は固定部のスロットである。
【００５６】
このように構成すると、減衰手段３０を固定手段２００に取り付ける時には、減衰手段３０を固定手段２００の下において、両端の接触部材３２ａ，３２ｂを取付孔２１２を介して引き出して、スロット２１４，２２４に沿って移動させるだけで取付が完了する。この取付作業は固定手段２００をシャドーマスクに固定させた状態でも可能であるのは理解できるであろう。なお、連結部２１０がない変形例の場合はスロット２２４に沿って連結部材３４を挿入するだけで取り付けることができることは理解できるであろう。
【００５７】
このとき、固定部２２０に湾曲部２２６を形成させたものは、その湾曲部２２６の湾曲を減衰手段３０の接触部材３２の側面と対応する形状することで、減衰手段３０を固定手段２００へ取り付けが終わると、他の製造工程や製品使用時に外部の衝撃によって減衰手段３０が固定手段２００から離脱しないようにすることができる。また、接触部材３２が少し動いたような場合にも容易に元の位置へ戻ることができる。
【００５８】
減衰手段３０の接触部材３２とシャドーマスク５との接触状態を良好にするために、減衰手段３０を引張力を加えた状態にして固定手段２００に結合させることが好ましい。従って、固定部２２０の間の長さは、減衰手段３０の有効長（Ｌ）、即ち、減衰手段の全体長から両端の接触部材３２ａ，３２ｂの長さを引いた長さより小さくする。このようにすることで、減衰手段３０が連結部２１０に設置されると、固定部２２０が両端の接触手段３２ａ，３２ｂに引張力を加えるので、制振性能が向上する。もちろん、固定部２２０の間に連結部２１０が形成された場合には、連結部２１０の長さを前記減衰手段３０の有効長（Ｌ）より小さく形成すれば良い。
【００５９】
さらに、固定手段２００に取り付けられた減衰手段３０の両端の接触部材３２ａ，３２ｂもシャドーマスク５と接触して制振効果を発揮できるように、結合部２３０に接触孔２３２を形成することが好ましい。かかる構成によると、両端の接触部材３２ａ，３２ｂも接触孔２３２を介してシャドーマスク５に接触し、全体的に接触部材３２とシャドーマスク５との接触面積が増加して制振機能が向上する。
【００６０】
一方、結合部２３０は溶接などの方法によってシャドーマスク５に結合される。
従って、結合部２３０とシャドーマスク５との接触性を向上させ、結果的に接合性及び溶接性を向上させるために、結合部２３０には裏面側に即ちシャドーマスク側に突き出した凹部２３４が形成されることが好ましい。
【００６１】
ハウリング減衰装置は、いうまでもなく有効面５ａに設けるのが制振性能の点では好ましいが、有効面５ａに設置すると、電子銃から出る電子ビームとの干渉現象などの問題点が発生するので、本ハウリング減衰装置はシャドーマスク５の非有効面５ｂに設けられる。その際、ハウリング減衰装置は有効面５ａのより近くに固定するため、電子ビームとの干渉を避けるための切り欠き２１６を連結部２１０の縁に形成することが好ましい。
【００６２】
固定手段２００は減衰手段３０に効率よく力を加えるようにしたり、減衰手段３０の位置を固定するために、固定手段２００の材質や剛性を変えて使用することが可能である。即ち、固定手段２００の所定の位置、例えば、減衰手段３０の接触部材３２と接する部位などに異種材料を接合して使用するか、熱処理などを行うことも可能であり、また、固定手段２００の厚さや断面の形状を変化させたり、さらには内側を成形材とすることも可能である。
【００６３】
以下、図１０〜図１３に基づき、固定手段のさらに他の実施形態を説明する。
【００６４】
固定手段３００は、減衰手段３０をシャドーマスク５の所定の位置に固定するための支持部３５０を備えている。図１１ではこの支持部３５０は１つだけが示されているが、図１３に示すように一定間隔で２つ３５０ａ、３５０ｂ配置される。固定手段３００はさらに、減衰手段３０をシャドーマスク５に押しつけるように接触させるための案内部３２０とシャドーマスク５に結合される結合部３１０とを備えている。これらは１枚の板を折り曲げることにより形成することができる。支持部３５０はその一部を結合部３１０とともにシャドーマスクに固定される。
【００６５】
支持部３５０は減衰手段３０の接触部材３２と隣接する接触部材３２の間、即ち、連結部材３４の箇所に設けられる。従って、支持部３５０は板状を有することが好ましく、双方の接触部材３２の間に入れることができる程度の幅の狭いものとする。
【００６６】
更に、支持部３５０の先端には連結部材３４を把持することができるように曲げられた半円形の安着部３５２が形成されている。この安着部３５２に連結部材３４を載せて安定させるようになっている。安着部３５２の形状は半円形に限定されず、環状、リング状、端部が角を有している形状なども可能である。
【００６７】
この支持部３５０は前記のように減衰手段３０の両端部の連結部材３４をそれぞれが把持するように一対３５０ａ，３５０ｂ備えている。このようにすると、支持部３５０の安着部３５２によって連結部材３４が支持され、接触部材３２の離脱が双方の支持部３５０ａ，３５０ｂにより防止されるので、減衰手段３０を所定の位置に取り付けておくことができる。また、減衰手段３０をより確実に支持するために、支持部３５０ｃを更に設置することも可能である。
【００６８】
減衰手段３０の接触部材３２をシャドーマスク５に良好に接触させるために、減衰手段３０を引張力を加えた状態にして固定手段３００に結合させるのが好ましい。
【００６９】
減衰性能は減衰手段３０とシャドーマスク５との接触性が良いほど良くなるので、減衰手段３０の接触性を更に向上させるために案内部３２０が設けられている。案内部３２０はシャドーマスクに固定される結合部３１０から減衰手段３０の方向に傾斜させられており、その傾斜は減衰手段３０を図１２に示すように最も適切な力で接触部材３２を押し付ける程度にする。
【００７０】
結合部３１０は、結合部３１０とシャドーマスク５との接触性を向上させ、結果的に接合性及び溶接性を向上させるために、肉薄部３１２を形成することが好ましい。
【００７１】
ハウリング減衰装置２０は有効面５ａに設けられるのが制振性能の点では好ましいものの、有効面５ａに設置すると、電子銃から出る電子ビームとの干渉現象などの問題点が発生するので、ハウリング減衰装置はシャドーマスク５の非有効面５ｂに設置する。このとき、ハウリング減衰装置が減衰装置が取り付けられた箇所に到達する電子ビームとの干渉を避けながら、最大限有効面５ａまで行けるように、連結部３２０の縁の略中央に溝３２２が形成されることが好ましい。
【００７２】
本発明で減衰手段３０は、シャドーマスクの有効面か、非有効面に設けられるべきであるが、減衰手段３０を固定する固定手段３００は、シャドーマスクを固定するパネル１に固定されるマスク支持フレーム３に設置しても良い。
【００７３】
上述の実施形態では、支持部３５０、案内部３２０及び結合部３１０が一対に形成されることを述べている。このように構成すると、板材を板金して一回に固定手段３００を製作することができ、製作上の便宜性が向上する。しかし、本発明はこれに限定されず、支持部３４０、案内部３２０及び結合部３１０を各々の部品として構成して、これを結合させ使用することも勿論可能である。
【００７４】
固定手段３００は減衰手段３０に効率よく力を加えるようにしたり、減衰手段３０の位置を固定するために、固定手段３００の材質や剛性を変えて使用することが可能である。即ち、固定手段３００の所定の位置、例えば、減衰手段３０の接触部材３２と接する部位などに異種材料を接合して使用するか、熱処理などを行うことも可能であり、また、固定手段３００の厚さや断面の形状を変化させたり、さらには内側を成形材とすることも可能である。
【００７５】
【発明の効果】
以上で説明したような本発明による陰極線管用ハウリング減衰装置は次のような効果を奏する。
【００７６】
第一に、本発明によれば、シャドーマスクに加えられる振動を効率よく減衰させることができる。図６はこれを確認するためのハウリング測定装置である。
即ち、質量が５００ｇの鉄ボールを５０ｍｍの高さ（Ｈ）で陰極線管に打撃して、この時発生する振動が持続される時間を測定する。これによって振動を加えた条件の下で、ハウリング減衰装置として従来のワイヤ、ボール状の減衰手段及びチェーン形状の減衰装置を各々使用して測定した。その結果、減衰時間が従来のワイヤは４０秒、チェーン状の減衰手段は１０秒、そして、ボール状の減衰手段は７秒であった。即ち、本発明によるハウリング減衰装置の制振効果が従来のワイヤより優れていることが判った。
【００７７】
また、加振条件を異ならせて実験を行った結果、従来のワイヤは減衰時間が約２０−４０秒であったのに比べ、本発明によるハウリング減衰装置は約６−１０秒であった。即ち、本発明によるハウリング減衰装置は、加振条件の影響を大きく受けず、信頼性が高いことが判った。
【００７８】
第二に、本発明のハウリング減衰装置は比較的シンプルな形状を有し且つ肉眼で作業可能な大きさであって、工程を単純化及び、不良率を減少させることができ、また、工程遅延の時間を短縮することができる。従って、生産原価の節減というメリットがある。
第三に、本発明のハウリング減衰装置は従来のワイヤとは異なり、シャドーマスクの比有効面に設置が可能であるので、設置の後従来のようにワイヤが見える現象を防止することができる。
【図面の簡単な説明】
【図１】従来の陰極線管用ハウリング減衰装置が設けられた状態を示す斜視図。
【図２】本発明による陰極線管用ハウリング減衰装置の第１実施形態を示す斜視図。
【図３】本発明による陰極線管用ハウリング減衰装置の減衰手段の変形例を示す図面。
【図４】本発明による陰極線管用ハウリング減衰装置の減衰手段の他の変形例を示す斜視図。
【図５】本発明による陰極線管用ハウリング減衰装置の減衰手段のまた他の変形例を示す図面。
【図６】ハウリング測定装置及び測定条件を示す図面。
【図７】本発明による陰極線管用ハウリング減衰装置の第２実施形態を示す斜視図。
【図８】図７の固定手段を詳細に示す斜視図。
【図９】図７の固定手段に減衰手段が取付られた状態を示す断面図。
【図１０】本発明による陰極線管用ハウリング減衰装置の第３実施形態を示す斜視図。
【図１１】図１０の固定手段を詳細に示す斜視図。
【図１２】図１０の固定手段に減衰手段が取付られた状態を示す断面図。
【図１３】図１２の平面図。
【符号の説明】
１：ファンネル
３：マスク支持フレーム
５：シャドーマスク
５Ａ：有効面
５Ｂ：非有効面
２０：ハウリング減衰装置
３０：減衰手段
１００，２００，３００：固定手段
３２：接触部材
３４：連結部材
【図１】
0003581344.tif 000002
【図２】
0003581344.tif 000003
【図３】
0003581344.tif 000004
【図４】
0003581344.tif 000005
【図５】
0003581344.tif 000006
【図６】
0003581344.tif 000007
【図７】
0003581344.tif 000008
【図８】
0003581344.tif 000009
【図９】
0003581344.tif 000010
【図１０】
0003581344.tif 000011
【図１１】
0003581344.tif 000012
【図１２】
0003581344.tif 000013
【図１３】
0003581344.tif 000014